(57)【要約】  本発明の実施例は、システムスループットを改善するために、共通セルネットワークにおけるマルチアンテナ伝送方法、及び基地局を提供する。共通セルネットワークは、第１のセルと第２のセルとを含み、第１のセルが２つの物理アンテナに対応し、第２のセルが２つの物理アンテナに対応する。本発明の実施例における方法は、基地局によって、スケジュールされた端末のための４アンテナプリコーディング処理を実行し、４つの論理アンテナポート信号を生成するステップと、基地局によって、４つの論理アンテナポート信号を４つの物理アンテナにマップし、マップすることによって取得された信号を端末に送信するステップであって、４つの物理アンテナが、第１のセルに対応する２つの物理アンテナ及び第２のセルに対応する２つの物理アンテナである、ステップとを含む。
2019503121.tif 000002
【特許請求の範囲】
【請求項１】
共通セルネットワークにおけるマルチアンテナ伝送方法であって、前記共通セルネットワークが第１のセルと第２のセルとを含み、前記第１のセルが２つの物理アンテナに対応し、前記第２のセルが２つの物理アンテナに対応し、当該方法が、
基地局によって、スケジュールされた端末のための４アンテナプリコーディング処理を実行し、４つの論理アンテナポート信号を生成するステップと、
前記基地局によって、前記４つの論理アンテナポート信号を４つの物理アンテナにマップし、マップすることによって取得された信号を前記端末に送信するステップであって、前記４つの物理アンテナが、前記第１のセルに対応する前記２つの物理アンテナ及び前記第２のセルに対応する前記２つの物理アンテナである、ステップとを含む、方法。
【請求項２】
前記基地局によって、前記４つの論理アンテナポート信号を４つの物理アンテナにマップする前記ステップが、
前記基地局によって、マッピングマトリクスを使用することによって、前記４つの論理アンテナポート信号を前記４つの物理アンテナにマップするステップであって、前記マッピングマトリクス、前記４つの論理アンテナポート信号、及び前記４つの物理アンテナによってそれぞれ送信される前記信号が、下記の関係式のうちのいずれか１つを満たす、ステップを含む、請求項１に記載の方法。
【数１】
2019503121.tif 000010
ここで、Ｘ０、Ｘ１、Ｘ２、及びＸ３は、前記４つの論理アンテナポート信号を表す。
【請求項３】
前記基地局によって、前記端末により報告された参照信号受信電力ＲＳＲＰを取得するステップであって、前記ＲＳＲＰが前記第１のセルのＲＳＲＰ及び前記第２のセルのＲＳＲＰを含む、ステップと、
前記基地局によって、前記端末により報告されたプリコーディングマトリクスインジケータＰＭＩを取得するステップと、
前記基地局によって、前記端末により報告されたランクインジケータＲＩを取得するステップと、
前記基地局によって、前記ＲＳＲＰ、前記ＰＭＩ、及び前記ＲＩに従って前記端末のスケジューリング方式を決定するとともに、前記スケジューリング方式に従って前記端末に対してスケジューリングを実行するステップであって、前記スケジューリング方式が独立スケジューリング及びジョイントスケジューリングを含む、ステップとを更に含む、請求項１又は請求項２に記載の方法。
【請求項４】
前記基地局によって、前記ＲＳＲＰ、前記ＰＭＩ、及び前記ＲＩに従って前記端末のスケジューリング方式を決定する前記ステップが、
前記第１のセルの前記ＲＳＲＰと前記第２のセルの前記ＲＳＲＰとの間の差の絶対値が第１のしきい値よりも大きいとともに第２のしきい値よりも小さく、前記ＰＭＩが０、１、２、３、８、９、１０、又は１１のうちのいずれか１つであり、前記ＲＩが１である場合に、前記基地局によって、前記端末に対して独立スケジューリングを実行することを決定するステップを含む、請求項３に記載の方法。
【請求項５】
前記基地局によって、前記ＲＳＲＰ、前記ＰＭＩ、及び前記ＲＩに従って前記端末のスケジューリング方式を決定する前記ステップが、
前記第１のセルの前記ＲＳＲＰと前記第２のセルの前記ＲＳＲＰとの間の差の絶対値が第２のしきい値以上であり、前記ＰＭＩが０、１、２、３、８、９、１０、又は１１のうちのいずれか１つであり、前記ＲＩが１である場合に、前記基地局によって、前記端末に対して独立スケジューリングを実行することを決定するステップを含む、請求項３に記載の方法。
【請求項６】
前記基地局によって、前記ＲＳＲＰ、前記ＰＭＩ、及び前記ＲＩに従って前記端末のスケジューリング方式を決定する前記ステップが、
前記第１のセルの前記ＲＳＲＰと前記第２のセルの前記ＲＳＲＰとの間の差の絶対値が第２のしきい値以上であり、前記ＰＭＩが１０又は１１であり、前記ＲＩが２である場合に、前記基地局によって、前記端末に対して独立スケジューリングを実行することを決定するステップを含む、請求項３に記載の方法。
【請求項７】
前記基地局によって、前記ＲＳＲＰ、前記ＰＭＩ、及び前記ＲＩに従って前記端末のスケジューリング方式を決定する前記ステップが、
前記第１のセルの前記ＲＳＲＰと前記第２のセルの前記ＲＳＲＰとの間の差の絶対値が第１のしきい値以下である場合に、前記基地局によって、前記端末に対してジョイントスケジューリングを実行することを決定するか、又は
前記第１のセルの前記ＲＳＲＰと前記第２のセルの前記ＲＳＲＰとの間の差の絶対値が第１のしきい値よりも大きいとともに第２のしきい値よりも小さく、前記ＲＩが１ではない場合に、前記基地局によって、前記端末に対してジョイントスケジューリングを実行することを決定するステップを含む、請求項３に記載の方法。
【請求項８】
前記基地局によって、前記端末により報告されたプリコーディングマトリクスインジケータＰＭＩを取得する前記ステップが、
前記第１のセルの前記ＲＳＲＰと前記第２のセルの前記ＲＳＲＰとの間の差の絶対値に従って、前記基地局によって、ＰＭＩ測定制限指示を前記端末に配信するステップであって、前記ＰＭＩ測定制限指示が、前記ＰＭＩ測定制限指示に従ってＰＭＩ測定を実行するために前記端末により使用される、ステップと、
前記基地局によって、前記端末により報告された前記ＰＭＩを取得するステップとを含む、請求項３に記載の方法。
【請求項９】
基地局であって、前記基地局が配置された共通セルネットワークが第１のセルと第２のセルとを含み、前記第１のセルが２つの物理アンテナに対応し、前記第２のセルが２つの物理アンテナに対応し、当該基地局が、
信号を受信又は送信するように構成されたトランシーバユニットと、
前記基地局によりスケジュールされた端末のための４アンテナプリコーディング処理を実行し、４つの論理アンテナポート信号を生成するとともに、前記４つの論理アンテナポート信号を４つの物理アンテナにマップし、マップすることによって取得された信号を前記端末に送信するように前記トランシーバユニットを制御するように構成された処理ユニットであって、前記４つの物理アンテナが、前記第１のセルに対応する前記２つの物理アンテナ及び前記第２のセルに対応する前記２つの物理アンテナである、処理ユニットとを備える、基地局。
【請求項１０】
前記処理ユニットが、前記４つの論理アンテナポート信号を前記４つの物理アンテナにマップする場合に、前記処理ユニットが、具体的に、
マッピングマトリクスを使用することによって、前記４つの論理アンテナポート信号を前記４つの物理アンテナにマップし、前記マッピングマトリクス、前記４つの論理アンテナポート信号、及び前記４つの物理アンテナによってそれぞれ送信される前記信号が、下記の関係式のうちのいずれか１つを満たす、ように構成される、請求項９に記載の基地局。
【数２】
2019503121.tif 000011
ここで、Ｘ０、Ｘ１、Ｘ２、及びＸ３は、前記４つの論理アンテナポート信号を表す。
【請求項１１】
前記トランシーバユニットが、
前記端末により報告された参照信号受信電力ＲＳＲＰを取得し、ここで、前記ＲＳＲＰが前記第１のセルのＲＳＲＰ及び前記第２のセルのＲＳＲＰを含み、
前記端末により報告されたプリコーディングマトリクスインジケータＰＭＩを取得するとともに、
前記端末により報告されたランクインジケータＲＩを取得するように更に構成され、
前記処理ユニットが、
前記トランシーバユニットにより取得された前記ＲＳＲＰ、前記ＰＭＩ、及び前記ＲＩに従って前記端末のスケジューリング方式を決定するとともに、前記スケジューリング方式に従って前記端末に対してスケジューリングを実行し、ここで、前記スケジューリング方式が独立スケジューリング及びジョイントスケジューリングを含む、ように更に構成される、請求項９又は請求項１０に記載の基地局。
【請求項１２】
前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットが、具体的に、
前記第１のセルの前記ＲＳＲＰと前記第２のセルの前記ＲＳＲＰとの間の差の絶対値が第１のしきい値よりも大きいとともに第２のしきい値よりも小さく、前記ＰＭＩが０、１、２、３、８、９、１０、又は１１のうちのいずれか１つであり、前記ＲＩが１である場合に、前記処理ユニットによって、前記端末に対して独立スケジューリングを実行することを決定する、ように構成される、請求項１１に記載の基地局。
【請求項１３】
前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットが、具体的に、
前記第１のセルの前記ＲＳＲＰと前記第２のセルの前記ＲＳＲＰとの間の差の絶対値が第２のしきい値以上であり、前記ＰＭＩが０、１、２、３、８、９、１０、又は１１のうちのいずれか１つであり、前記ＲＩが１である場合に、前記処理ユニットによって、前記端末に対して独立スケジューリングを実行することを決定する、ように構成される、請求項１１に記載の基地局。
【請求項１４】
前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットが、具体的に、
前記第１のセルの前記ＲＳＲＰと前記第２のセルの前記ＲＳＲＰとの間の差の絶対値が第２のしきい値以上であり、前記ＰＭＩが１０又は１１であり、前記ＲＩが２である場合に、前記処理ユニットによって、前記端末に対して独立スケジューリングを実行することを決定する、ように構成される、請求項１１に記載の基地局。
【請求項１５】
前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットが、具体的に、
前記第１のセルの前記ＲＳＲＰと前記第２のセルの前記ＲＳＲＰとの間の差の絶対値が第１のしきい値以下である場合に、前記処理ユニットによって、前記端末に対してジョイントスケジューリングを実行することを決定するか、又は
前記第１のセルの前記ＲＳＲＰと前記第２のセルの前記ＲＳＲＰとの間の差の絶対値が第１のしきい値よりも大きいとともに第２のしきい値よりも小さく、前記ＲＩが１ではない場合に、前記処理ユニットによって、前記端末に対してジョイントスケジューリングを実行することを決定する、ように構成される、請求項１１に記載の基地局。
【請求項１６】
前記処理ユニットが、
前記第１のセルの前記ＲＳＲＰと前記第２のセルの前記ＲＳＲＰとの間の差の絶対値に従って、前記端末に配信されるべきＰＭＩ測定制限指示を決定し、ここで、前記ＰＭＩ測定制限指示が、前記ＰＭＩ測定制限指示に従ってＰＭＩ測定を実行するために前記端末により使用される、ように更に構成され、
前記トランシーバユニットが、前記端末により報告された前記プリコーディングマトリクスインジケータＰＭＩを取得する場合に、前記トランシーバユニットが、具体的に、
前記処理ユニットにより決定された前記ＰＭＩ測定制限指示を前記端末に配信するとともに、
前記ＰＭＩ測定制限指示に従って前記端末により報告された前記ＰＭＩを取得するように構成される、請求項１１に記載の基地局。
【請求項１７】
基地局であって、前記基地局が配置された共通セルネットワークが第１のセルと第２のセルとを含み、前記第１のセルが２つの物理アンテナに対応し、前記第２のセルが２つの物理アンテナに対応し、当該基地局が、
信号を受信又は送信するように構成されたトランシーバと、
前記基地局によりスケジュールされた端末のための４アンテナプリコーディング処理を実行し、４つの論理アンテナポート信号を生成するとともに、前記４つの論理アンテナポート信号を４つの物理アンテナにマップし、マップすることによって取得された信号を前記端末に送信するように前記トランシーバを制御するように構成されたプロセッサであって、前記４つの物理アンテナが、前記第１のセルに対応する前記２つの物理アンテナ及び前記第２のセルに対応する前記２つの物理アンテナである、プロセッサとを備える、基地局。
【発明の詳細な説明】
【技術分野】
【０００１】
本出願は、“MULTI-ANTENNA  TRANSMISSION  METHOD  IN  CO-CELL  NETWORK,  AND  BASE  STATION”と表題が付けられ、２０１５年１２月３日に中国特許庁に出願されたＰＣＴ国際特許出願第PCT/CN2015/096225号に対する優先権を主張するとともに、それはその全体における参照により本明細書に組み込まれている。
【０００２】
技術分野
本発明は、無線通信の分野に関し、特に、共通セルネットワークにおけるマルチアンテナ伝送方法、及び基地局に関する。
【背景技術】
【０００３】
モバイルインターネットの急速な発展とネットワークユーザ数における継続的な増加は、ワイヤレスネットワークの容量に、ますますより高い要求を負わせる。ネットワーク容量を改善するための従来方式は２つある。第１の方式は新しいサイトを追加することであり、第２の方式は搬送波周波数を拡張するためにシステムスペクトルを追加することである。しかしながら、サイトを取得するのが困難であること、新しいサイトを配置するコストが高いこと、及び限られた量の無線スペクトルリソースのために、２つの従来方式において、ネットワーク容量を迅速に改善することは困難である。
【０００４】
現在、セクタ分割技術は、新しいサイト又はシステムスペクトルを追加することなくネットワーク容量を改善するための、費用対効果の高い技術的解決法である。セクタ分割技術では、比較的高いネットワーク容量を必要とするセクタセルは２つのセクタセルに分割され、分割によって取得された２つのセクタセルのそれぞれは、セルとして計画され、各セクタセルは、セル識別子を使用し、ネットワーク容量を向上させるように、分割によって取得された２つのセクタセルに対してリソースが再利用される。しかしながら、オリジナルのセクタセルと比較して、セクタ分割技術を使用することによって取得された各セクタセルの領域が減らされ、すなわち、セルのカバレッジ領域が減らされ、セル数が増やされて、セル間干渉がより激しくなる。これは、例えばハンドオーバ及びアクセスなどのネットワーク性能に影響し、ネットワーク計画及び最適化をより複雑にする。
【０００５】
セクタ分割技術によってもたらされるより激しいセル間干渉の問題を克服するために、セクタ分割技術を使用することによって取得された２つのセクタセルに共通セルネットワーキング技術が適用され得る。共通セルネットワーキング技術は、セクタ分割技術を使用することによって取得された２つのセクタセルを、共通セルネットワークを形成するように結合し、ここで、同じ共通セルネットワーク内の２つのセクタセルは、セル識別子を共有する。このようにして、セクタ分割技術を使用することによって、ネットワーク容量が改善され、例えばハンドオーバ及びアクセスなどのネットワーク性能は影響を受けないとともに、ネットワーク計画及び最適化の複雑さが軽減される。共通セルネットワーキング技術は、同様に、セクタ分割技術を使用することによって処理されていない２つのセクタセルにも適用され得る。セクタ分割技術を使用することによって処理されていない２つのセクタセルは、共通セルネットワークを形成するように結合され、同じ共通セルネットワーク内の２つのセクタセルは、セル識別子を共有する。
【０００６】
仮想６セクタセルが、一例として使用される。従来の３セクタセルが、図１（ａ）に示される。図１（ｂ）において示されるセクタセルは、セクタ分割技術を使用することによって、図１（ａ）における各セクタセルが処理された後で取得される。例えば、セル０は、セル分割後に２つのセクタセルに分割され、２つのセクタセルは、セル０のセル識別子を共有する。
【０００７】
共通セルネットワークでは、基地局は、共通パイロット信号を一緒に送信し、ユーザデータを独立して送信する。したがって、チャネルの不一致の問題が存在し、システムスループットが影響を受ける。
【発明の概要】
【０００８】
本発明の実施例は、システムスループットを改善するために、共通セルネットワークにおけるマルチアンテナ伝送方法、及び基地局を提供する。
【０００９】
第１の態様によれば、本発明の一実施例は、共通セルネットワークにおけるマルチアンテナ伝送方法であって、前記共通セルネットワークが第１のセルと第２のセルとを含み、前記第１のセルが２つの物理アンテナに対応し、前記第２のセルが２つの物理アンテナに対応し、当該方法が、基地局によって、スケジュールされた端末のための４アンテナプリコーディング処理を実行し、４つの論理アンテナポート信号を生成するステップと、前記基地局によって、前記４つの論理アンテナポート信号を４つの物理アンテナにマップし、マップすることによって取得された信号を前記端末に送信するステップであって、前記４つの物理アンテナが、前記第１のセルに対応する前記２つの物理アンテナ及び前記第２のセルに対応する前記２つの物理アンテナである、ステップとを含む、方法を提供する。
【００１０】
第１の態様に関連して、第１の可能な実装例において、前記基地局によって、前記４つの論理アンテナポート信号を４つの物理アンテナにマップする前記ステップは、前記基地局によって、マッピングマトリクスを使用することによって、前記４つの論理アンテナポート信号を前記４つの物理アンテナにマップするステップであって、前記マッピングマトリクス、前記４つの論理アンテナポート信号、及び前記４つの物理アンテナによってそれぞれ送信される前記信号が、下記の関係式のうちのいずれか１つを満たす、ステップを含む。
【数１】
2019503121.tif 000003
ここで、Ｘ０、Ｘ１、Ｘ２、及びＸ３は、前記４つの論理アンテナポート信号を表す。
【００１１】
第１の態様、又は第１の態様の第１の可能な実装例に関連して、第１の態様の第２の可能な実装例において、当該方法は、前記基地局によって、前記端末により報告された参照信号受信電力ＲＳＲＰを取得するステップであって、前記ＲＳＲＰが前記第１のセルのＲＳＲＰ及び前記第２のセルのＲＳＲＰを含む、ステップと、前記基地局によって、前記端末により報告されたプリコーディングマトリクスインジケータＰＭＩを取得するステップと、前記基地局によって、前記端末により報告されたランクインジケータＲＩを取得するステップと、前記基地局によって、前記ＲＳＲＰ、前記ＰＭＩ、及び前記ＲＩに従って前記端末のスケジューリング方式を決定するとともに、前記スケジューリング方式に従って前記端末に対してスケジューリングを実行するステップであって、前記スケジューリング方式が独立スケジューリング及びジョイントスケジューリングを含む、ステップとを更に含む。
【００１２】
第１の態様の第２の可能な実装例に関連して、第１の態様の第３の可能な実装例において、前記基地局によって、前記ＲＳＲＰ、前記ＰＭＩ、及び前記ＲＩに従って前記端末のスケジューリング方式を決定する前記ステップは、前記第１のセルの前記ＲＳＲＰと前記第２のセルの前記ＲＳＲＰとの間の差の絶対値が第１のしきい値よりも大きいとともに第２のしきい値よりも小さく、前記ＰＭＩが０、１、２、３、８、９、１０、又は１１のうちのいずれか１つであり、前記ＲＩが１である場合に、前記基地局によって、前記端末に対して独立スケジューリングを実行することを決定するステップを含む。
【００１３】
第１の態様の第２の可能な実装例に関連して、第１の態様の第４の可能な実装例において、前記基地局によって、前記ＲＳＲＰ、前記ＰＭＩ、及び前記ＲＩに従って前記端末のスケジューリング方式を決定する前記ステップは、前記第１のセルの前記ＲＳＲＰと前記第２のセルの前記ＲＳＲＰとの間の差の絶対値が第２のしきい値以上であり、前記ＰＭＩが０、１、２、３、８、９、１０、又は１１のうちのいずれか１つであり、前記ＲＩが１である場合に、前記基地局によって、前記端末に対して独立スケジューリングを実行することを決定するステップを含む。
【００１４】
第１の態様の第２の可能な実装例に関連して、第１の態様の第５の可能な実装例において、前記基地局によって、前記ＲＳＲＰ、前記ＰＭＩ、及び前記ＲＩに従って前記端末のスケジューリング方式を決定する前記ステップは、前記第１のセルの前記ＲＳＲＰと前記第２のセルの前記ＲＳＲＰとの間の差の絶対値が第２のしきい値以上であり、前記ＰＭＩが１０又は１１であり、前記ＲＩが２である場合に、前記基地局によって、前記端末に対して独立スケジューリングを実行することを決定するステップを含む。
【００１５】
第１の態様の第２の可能な実装例に関連して、第１の態様の第６の可能な実装例において、前記基地局によって、前記ＲＳＲＰ、前記ＰＭＩ、及び前記ＲＩに従って前記端末のスケジューリング方式を決定する前記ステップは、前記第１のセルの前記ＲＳＲＰと前記第２のセルの前記ＲＳＲＰとの間の差の絶対値が第１のしきい値以下である場合に、前記基地局によって、前記端末に対してジョイントスケジューリングを実行することを決定するか、又は前記第１のセルの前記ＲＳＲＰと前記第２のセルの前記ＲＳＲＰとの間の差の絶対値が第１のしきい値よりも大きいとともに第２のしきい値よりも小さく、前記ＲＩが１ではない場合に、前記基地局によって、前記端末に対してジョイントスケジューリングを実行することを決定するステップを含む。
【００１６】
第１の態様の第２の可能な実装例に関連して、第１の態様の第７の可能な実装例において、前記基地局によって、前記端末により報告されたプリコーディングマトリクスインジケータＰＭＩを取得する前記ステップは、前記第１のセルの前記ＲＳＲＰと前記第２のセルの前記ＲＳＲＰとの間の差の絶対値に従って、前記基地局によって、ＰＭＩ測定制限指示を前記端末に配信するステップであって、前記ＰＭＩ測定制限指示が、前記ＰＭＩ測定制限指示に従ってＰＭＩ測定を実行するために前記端末により使用される、ステップと、前記基地局によって、前記端末により報告された前記ＰＭＩを取得するステップとを含む。
【００１７】
第２の態様によれば、本発明の一実施例は、基地局であって、前記基地局が配置された共通セルネットワークが第１のセルと第２のセルとを含み、前記第１のセルが２つの物理アンテナに対応し、前記第２のセルが２つの物理アンテナに対応し、当該基地局が、信号を受信又は送信するように構成されたトランシーバユニットと、前記基地局によりスケジュールされた端末のための４アンテナプリコーディング処理を実行し、４つの論理アンテナポート信号を生成するとともに、前記４つの論理アンテナポート信号を４つの物理アンテナにマップし、マップすることによって取得された信号を前記端末に送信するように前記トランシーバユニットを制御するように構成された処理ユニットであって、前記４つの物理アンテナが、前記第１のセルに対応する前記２つの物理アンテナ及び前記第２のセルに対応する前記２つの物理アンテナである、処理ユニットとを備える、基地局を提供する。
【００１８】
第２の態様に関連して、第１の可能な実装例において、前記処理ユニットが、前記４つの論理アンテナポート信号を前記４つの物理アンテナにマップする場合に、前記処理ユニットは、具体的に、マッピングマトリクスを使用することによって、前記４つの論理アンテナポート信号を前記４つの物理アンテナにマップし、前記マッピングマトリクス、前記４つの論理アンテナポート信号、及び前記４つの物理アンテナによってそれぞれ送信される前記信号が、下記の関係式のうちのいずれか１つを満たす、ように構成される。
【数２】
2019503121.tif 000004
ここで、Ｘ０、Ｘ１、Ｘ２、及びＸ３は、前記４つの論理アンテナポート信号を表す。
【００１９】
第２の態様、又は第２の態様の第１の可能な実装例に関連して、第２の態様の第２の可能な実装例において、前記トランシーバユニットは、前記端末により報告された参照信号受信電力ＲＳＲＰを取得し、ここで、前記ＲＳＲＰが前記第１のセルのＲＳＲＰ及び前記第２のセルのＲＳＲＰを含み、前記端末により報告されたプリコーディングマトリクスインジケータＰＭＩを取得するとともに、前記端末により報告されたランクインジケータＲＩを取得するように更に構成され、前記処理ユニットは、前記トランシーバユニットにより取得された前記ＲＳＲＰ、前記ＰＭＩ、及び前記ＲＩに従って前記端末のスケジューリング方式を決定するとともに、前記スケジューリング方式に従って前記端末に対してスケジューリングを実行し、ここで、前記スケジューリング方式が独立スケジューリング及びジョイントスケジューリングを含む、ように更に構成される。
【００２０】
第２の態様の第２の可能な実装例に関連して、第２の態様の第３の可能な実装例において、前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットは、具体的に、前記第１のセルの前記ＲＳＲＰと前記第２のセルの前記ＲＳＲＰとの間の差の絶対値が第１のしきい値よりも大きいとともに第２のしきい値よりも小さく、前記ＰＭＩが０、１、２、３、８、９、１０、又は１１のうちのいずれか１つであり、前記ＲＩが１である場合に、前記処理ユニットによって、前記端末に対して独立スケジューリングを実行することを決定する、ように構成される。
【００２１】
第２の態様の第２の可能な実装例に関連して、第２の態様の第４の可能な実装例において、前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットは、具体的に、前記第１のセルの前記ＲＳＲＰと前記第２のセルの前記ＲＳＲＰとの間の差の絶対値が第２のしきい値以上であり、前記ＰＭＩが０、１、２、３、８、９、１０、又は１１のうちのいずれか１つであり、前記ＲＩが１である場合に、前記処理ユニットによって、前記端末に対して独立スケジューリングを実行することを決定する、ように構成される。
【００２２】
第２の態様の第２の可能な実装例に関連して、第２の態様の第５の可能な実装例において、前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットは、具体的に、前記第１のセルの前記ＲＳＲＰと前記第２のセルの前記ＲＳＲＰとの間の差の絶対値が第２のしきい値以上であり、前記ＰＭＩが１０又は１１であり、前記ＲＩが２である場合に、前記処理ユニットによって、前記端末に対して独立スケジューリングを実行することを決定する、ように構成される。
【００２３】
第２の態様の第２の可能な実装例に関連して、第２の態様の第６の可能な実装例において、前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットは、具体的に、前記第１のセルの前記ＲＳＲＰと前記第２のセルの前記ＲＳＲＰとの間の差の絶対値が第１のしきい値以下である場合に、前記処理ユニットによって、前記端末に対してジョイントスケジューリングを実行することを決定するか、又は前記第１のセルの前記ＲＳＲＰと前記第２のセルの前記ＲＳＲＰとの間の差の絶対値が第１のしきい値よりも大きいとともに第２のしきい値よりも小さく、前記ＲＩが１ではない場合に、前記処理ユニットによって、前記端末に対してジョイントスケジューリングを実行することを決定する、ように構成される。
【００２４】
第２の態様の第２の可能な実装例に関連して、第２の態様の第７の可能な実装例において、前記処理ユニットは、前記第１のセルの前記ＲＳＲＰと前記第２のセルの前記ＲＳＲＰとの間の差の絶対値に従って、前記端末に配信されるべきＰＭＩ測定制限指示を決定し、ここで、前記ＰＭＩ測定制限指示が、前記ＰＭＩ測定制限指示に従ってＰＭＩ測定を実行するために前記端末により使用される、ように更に構成され、前記トランシーバユニットが、前記端末により報告された前記プリコーディングマトリクスインジケータＰＭＩを取得する場合に、前記トランシーバユニットは、具体的に、前記処理ユニットにより決定された前記ＰＭＩ測定制限指示を前記端末に配信するとともに、前記ＰＭＩ測定制限指示に従って前記端末により報告された前記ＰＭＩを取得するように構成される。
【００２５】
第３の態様によれば、本発明の一実施例は、共通セルネットワークにおける端末をスケジュールするための方法であって、前記共通セルネットワークが第１のセルと第２のセルとを含み、前記第１のセルが２つの物理アンテナに対応し、前記第２のセルが２つの物理アンテナに対応し、当該方法が、基地局によって、端末により報告された参照信号受信電力ＲＳＲＰを取得するステップであって、前記ＲＳＲＰが前記第１のセルのＲＳＲＰ及び前記第２のセルのＲＳＲＰを含む、ステップと、前記基地局によって、前記端末により報告されたプリコーディングマトリクスインジケータＰＭＩを取得するステップと、前記基地局によって、前記端末により報告されたランクインジケータＲＩを取得するステップと、前記基地局によって、前記ＲＳＲＰ、前記ＰＭＩ、及び前記ＲＩに従って前記端末のスケジューリング方式を決定するとともに、前記スケジューリング方式に従って前記端末に対してスケジューリングを実行するステップであって、前記スケジューリング方式が独立スケジューリング及びジョイントスケジューリングを含む、ステップとを含む、方法を提供する。
【００２６】
第４の態様によれば、本発明の一実施例は、基地局であって、前記基地局が配置された共通セルネットワークが第１のセルと第２のセルとを含み、前記第１のセルが２つの物理アンテナに対応し、前記第２のセルが２つの物理アンテナに対応し、当該基地局が、端末により報告された参照信号受信電力ＲＳＲＰを取得し、ここで、前記ＲＳＲＰが前記第１のセルのＲＳＲＰ及び前記第２のセルのＲＳＲＰを含み、前記端末により報告されたプリコーディングマトリクスインジケータＰＭＩを取得するとともに、前記端末により報告されたランクインジケータＲＩを取得するように構成されたトランシーバユニットと、前記トランシーバユニットにより取得された前記ＲＳＲＰ、前記ＰＭＩ、及び前記ＲＩに従って前記端末のスケジューリング方式を決定するとともに、前記スケジューリング方式に従って前記端末に対してスケジューリングを実行し、ここで、前記スケジューリング方式が独立スケジューリング及びジョイントスケジューリングを含む、ように構成された処理ユニットとを含む、基地局を提供する。
【００２７】
本発明の実施例では、基地局は、生成された４つの論理アンテナポート信号を共通セルネットワークにおける４つの物理アンテナにマップし、マップすることによって取得された信号を端末に送信する。これは、制御チャネルに対するジョイント送信及びデータチャネルに対する独立送信によってもたらされる既存の共通セルネットワークにおけるチャネル不一致の問題を解決し、システムスループットを改善することができる。従来技術における共通セルネットワークにおける論理アンテナポートの数と比較して、本発明の実施例における共通セルネットワークにおける論理アンテナポートの数は増加し、その結果、共通セルネットワークによってサポートされることができるユーザのピーク数が増加し、システムスループットが改善されることができる。本発明の実施例は、ネットワーク容量を更に改善するために、共通セルネットワークにおいて端末をスケジュールするための方法を更に提供する。
【図面の簡単な説明】
【００２８】
【図１（ａ）】従来の３セクタセルの概略構成図である。
【図１（ｂ）】仮想６セクタセルの概略構成図である。
【図２】本発明の一実施例による共通セルネットワークの概略的な構造上の図である。
【図３】本発明の一実施例による、共通セルネットワークにおけるマルチアンテナ伝送方法の概略フローチャートである。
【図４】本発明の一実施例によるダウンリンクデータ送信プロセスの概略図である。
【図５】本発明の一実施例による、共通セルネットワークにおける端末をスケジュールするための方法の概略フローチャートである。
【図６】本発明の一実施例による、共通セルネットワーク分割の領域分布の概略図である。
【図７】本発明の一実施例による基地局の概略構成図である。
【図８】本発明の一実施例による基地局の概略構成図である。
【図９】本発明の一実施例による基地局の概略構成図である。
【発明を実施するための形態】
【００２９】
下記は、本発明の実施例における添付図面を参照して、本発明の実施例における技術的解決法を明確かつ十分に説明する。明らかに、説明される実施例は本発明の実施例の全てではなく単なる一部である。創作的な努力なしで本発明の実施例に基づいて当業者により獲得される他の全ての実施例は、本発明の保護範囲に含まれるものとする。
【００３０】
本発明の実施例は、システムスループットを改善するために、共通セルネットワークにおけるマルチアンテナ伝送方法、及び基地局を提供する。方法及び装置は、同じ発明概念に基づいている。方法及び装置による問題解決の原理は同様であるので、装置及び方法の実装例については相互に参照することができ、同じ内容は繰り返されない。
【００３１】
本発明の実施例は、例えば、ユニバーサル移動通信システム（Universal  Mobile  Telecommunications  System、ＵＭＴＳ）、グローバルシステムフォーモバイルコミュニケーションズ（Global  System  for  Mobile  Communications、ＧＳＭ）、ロングタームエボリューション（Long  Term  Evolution、ＬＴＥ）システム、ロングタームエボリューションアドバンスト（LTE-Advanced、ＬＴＥ−Ａ）システム、又は将来の無線通信システム、などの無線通信システムに適用可能である。
【００３２】
基地局は、ＬＴＥ又はＬＴＥ−Ａにおける進化型ＮｏｄｅＢ（evolved  NodeB、ｅＮｏｄｅＢ）であり得る。１つの基地局は、１つ又は複数のセルをサポート／管理することができる。
【００３３】
ユーザ装置（ＵＥ）は、同様に、移動端末（Mobile  Terminal、ＭＴ）、移動局（Mobile  Station、ＭＳ）などと呼ばれることがある。
【００３４】
各基地局は、複数のＵＥにサービスを提供することができる。ＵＥは、ネットワークアクセスを開始するセルを選択し、基地局との音声及び／又はデータサービスを実行する。
【００３５】
本発明の実施例は、２つのセクタセルが結合されて共通セルネットワークを形成し、同じ共通セルネットワーク内の２つのセクタセルがセル識別子を共有する、共通セルネットワーキング技術に関連する。
【００３６】
本発明の実施例では、共通セルネットワークに含まれる２つのセクタセルは、セクタ分割技術を使用することによって処理されていない２つのセクタセルであり得るか、又はセクタ分割技術を使用することによってセクタセルを分割することにより取得された２つのセクタセルであり得る。セクタ分割技術は、水平分割と垂直分割とを含む。共通セルネットワーキング技術の開発によって、共通セルネットワークに含まれるセクタセルの数は２つに限定されず、共通セルネットワークに含まれる各セクタセルに対応する物理アンテナの数は２つに限定されず、本発明の実施例において提供される技術的解決法の考え方が、依然として適用可能である。
【００３７】
下記の実施例では、共通セルネットワークに含まれる２つのセクタセルは、第１のセル及び第２のセルと呼ばれ、第１のセルは２つの物理アンテナに対応し、第２のセルは２つの物理アンテナに対応するとともに、基地局は、共通セルネットワークにおける端末に対してスケジューリングを実行する。本発明の実施例における共通セルネットワークについては、図２において示される共通セルネットワークを参照する。
【００３８】
図３において示されるように、本発明の一実施例は、共通セルネットワークにおけるマルチアンテナ伝送方法を提供する。方法は、下記のステップを含む。
【００３９】
Ｓ３０１．基地局が、スケジュールされた端末のための４アンテナプリコーディング処理を実行し、４つの論理アンテナポート信号を生成する。
【００４０】
Ｓ３０２．基地局が、４つの論理アンテナポート信号を４つの物理アンテナにマップし、マップすることによって取得された信号を端末に送信し、ここで、４つの物理アンテナは、第１のセルに対応する２つの物理アンテナ及び第２のセルに対応する２つの物理アンテナである。
【００４１】
本発明のこの実施例では、基地局は、スケジュールされた端末のための４アンテナプリコーディング処理を実行し、４つの論理アンテナポート信号を生成する。基地局は、独立スケジューリング又はジョイントスケジューリングの方式で、端末をスケジュールすることができる。
【００４２】
例えば、図２において示される共通セルネットワークでは、基地局が第１のセルにおける端末１に対して独立スケジューリングを実行する場合、基地局は、第１のセルのリソースを使用することによって、端末１のためのプリコーディング処理を実行し、４つの論理アンテナポート信号を生成し、生成された４つの論理アンテナポート信号を４つの物理アンテナにマップし、マップすることによって取得された信号を端末１に送信する。基地局が端末２に対してジョイントスケジューリングを実行し、端末２が第１のセル及び第２のセルの重複領域に位置する場合、基地局は、第１のセルのリソースを使用することによって、端末２のためのプリコーディング処理を実行し、４つの論理アンテナポート信号を生成し、第１のセルのリソースを使用することによって生成された４つの論理アンテナポート信号を４つの物理アンテナにマップし、マップすることによって取得された信号を端末２に送信するとともに、基地局は、第２のセルのリソースを使用することによって、端末２のためのプリコーディング処理を実行し、４つの論理アンテナポート信号を生成し、第２のセルのリソースを使用することによって生成された４つの論理アンテナポート信号を４つの物理アンテナにマップし、マップすることによって取得された信号を端末２に送信する。
【００４３】
ＬＴＥシステム、ＬＴＥ−Ａシステム、又はＬＴＥに基づく進化型システムの場合、前述のプリコーディング処理は、レイヤから論理アンテナポートにデータをマップすることを意味する。ＬＴＥシステムにおける物理ダウンリンク共有チャネル（Physical  Downlink  Shared  Channel、ＰＤＳＣＨ）が、一例として使用される。例えばスクランブリング、変調、レイヤマッピング、プリコーディング、及びリソースマッピングなどの一連の処理プロセスを経た後で、ＰＤＳＣＨデータは、物理アンテナを使用することによって端末に送信される。プリコーディング処理プロセスについては、第３世代パートナーシッププロジェクト（the  3rd  Generation  Partner  Project、３ＧＰＰ）技術仕様書（Technical  Specification、ＴＳ）３６．２１１を参照されたい。詳細は、ここでは説明されない。図４は、本発明の一実施例によるダウンリンクデータ送信プロセスを示す。４つの論理アンテナポート信号が、データに対して４アンテナプリコーディング処理及びフレーミング（framing）を実行することによって生成され、４つの論理アンテナポート信号は、仮想アンテナマッピング（virtual  antenna  mapping、ＶＡＭ）によって４つの物理アンテナにマップされる。
【００４４】
実際の処理におけるフレーミング処理を考慮すると、Ｘ０、Ｘ１、Ｘ２、及びＸ３は、フレーミング後に取得された４つの論理アンテナポート信号を表す。基地局は、４つの論理アンテナポート信号Ｘ０、Ｘ１、Ｘ２、及びＸ３を、ＶＡＭによって４つの物理アンテナにマップする。具体的には、基地局は、マッピングマトリクスを使用することによって、４つの論理アンテナポート信号Ｘ０、Ｘ１、Ｘ２、及びＸ３を、４つの物理アンテナにマップする。マッピングマトリックス、４つの論理アンテナポート信号、及び４つの物理アンテナによってそれぞれ送信される信号は、下記の関係式のうちのいずれか１つを満たす。
【数３】
2019503121.tif 000005
【００４５】
前述の関係式では、マッピングマトリクス及び４つの論理アンテナポート信号は等号の左側にあり、４つの物理アンテナによってそれぞれ送信される信号は等号の右側にある。
【００４６】
基地局は、マッピングマトリクスを使用することによって４つの論理アンテナポート信号をマップすることにより取得された信号を、４つの物理アンテナを使用することによって端末に送信する。
【００４７】
本発明のこの実施例では、４つの論理アンテナポート信号を４つの物理アンテナにマップするためのマッピングマトリクスは、前述の関係式において提供されたいくつかの形態に限定されるものではなく、他の形態が、同様に使用され得る、ということに注意が必要である。好ましくは、マッピングマトリクス、４つの論理アンテナポート信号、及び４つの物理アンテナによってそれぞれ送信される信号は、下記の関係式のうちのいずれか１つを満たし得る。
【数４】
2019503121.tif 000006
【００４８】
例えば、マッピングマトリクス、４つの論理アンテナポート信号、及び４つの物理アンテナによってそれぞれ送信される信号は、下記の関係式を満たす。
【数５】
2019503121.tif 000007
【００４９】
好ましくは、第１のセルに対応する第１の物理アンテナによって送信される信号は、Ｘ０＋Ｘ２であり、第１のセルに対応する第２の物理アンテナによって送信される信号は、Ｘ１＋Ｘ３であり、第２のセルに対応する第１の物理アンテナによって送信される信号は、−ｊ（Ｘ１＋Ｘ３）であり、第２のセルに対応する第２の物理アンテナによって送信される信号は、−ｊ（Ｘ０＋Ｘ２）である。同様に、マッピングマトリックス、４つの論理アンテナポート信号、及び４つの物理アンテナによってそれぞれ送信される信号が、別の関係式を満たす場合に、この好ましい方式は、各物理アンテナによって送信される信号を決定するために依然として使用され得る。
【００５０】
実際のアプリケーションシナリオでは、共通セルネットワークに含まれる第１のセルに対応する物理アンテナ及び共通セルネットワークに含まれる第２のセルに対応する物理アンテナの総数は、本発明のこの実施例において提供される数、４に限定されないとともに、４つの論理アンテナポート信号は、実際のアプリケーションシナリオでは、第１のセルに対応する物理アンテナの数及び第２のセルに対応する物理アンテナの数に従って、物理アンテナにマップされてもよい、ということに注意が必要である。
【００５１】
本発明のこの実施例では、基地局は、生成された４つの論理アンテナポート信号を共通セルネットワークにおける４つの物理アンテナにマップし、マップすることによって取得された信号を端末に送信する。これは、制御チャネルに対するジョイント送信及びデータチャネルに対する独立送信によってもたらされる既存の共通セルネットワークにおけるチャネル不一致の問題を解決することができる。
【００５２】
本発明のこの実施例では、共通セル技術を使用することによって第１のセルと第２のセルとを組み合わせて共通セルネットワークを形成した後で、共通セルネットワークに含まれる論理アンテナポートの数は、第１のセルの論理アンテナポートと第２のセルの論理アンテナポートの総数以上になり、ここで、第１のセルの論理アンテナポートの数は第２のセルの論理アンテナポートの数に等しく、第１のセルの論理アンテナポートの数は、第１のセルの物理アンテナポートの数以下である。したがって、従来技術における共通セルネットワークにおける論理アンテナポートの数と比較して、本発明のこの実施例における共通セルネットワークにおける論理アンテナポートの数は増加し、その結果、共通セルネットワークによってサポートされることができるユーザのピーク数が増加し、システムスループットが改善されることができる。
【００５３】
さらに、図５において示されるように、本発明の一実施例は、共通セルネットワークにおける端末をスケジュールするための方法を提供する。方法は、下記のステップを含む。
【００５４】
Ｓ５０１．基地局が、端末により報告された参照信号受信電力（Reference  Signal  Received  Power、ＲＳＲＰ）を取得し、ここで、ＲＳＲＰは第１のセルのＲＳＲＰ及び第２のセルのＲＳＲＰを含む。
【００５５】
Ｓ５０２．基地局が、端末により報告されたプリコーディングマトリクスインジケータ（Precoding  Matrix  Indicator、ＰＭＩ）を取得する。
【００５６】
Ｓ５０３．基地局が、端末により報告されたランクインジケータ（Rank  Indicator、ＲＩ）を取得する。
【００５７】
Ｓ５０４．基地局が、ＲＳＲＰ、ＰＭＩ、及びＲＩに従って端末のスケジューリング方式を決定するとともに、スケジューリング方式に従って端末に対してスケジューリングを実行し、ここで、スケジューリング方式は、独立スケジューリング及びジョイントスケジューリングを含む。
【００５８】
本発明のこの実施例では、端末のスケジューリング方式は、図５において示される方法を使用することによって、別個に決定され得る。その代わりに、図５において示される方法、及び図３において示される方法が、一緒に使用され得る。すなわち、端末のスケジューリング方式が、図５において示される方法を使用することによって決定された後で、基地局は、共通セルネットワーク内にあるとともに、図３において示されるマルチアンテナ伝送方法を使用することによって、端末にデータを送信する。
【００５９】
本発明のこの実施例では、端末により報告されたＲＳＲＰは、複数の方式で取得されることができる。例えば、端末により報告されたＲＳＲＰは、サウンディング参照信号（Sounding  Reference  Signal、ＳＲＳ）、復調参照シンボル（Demodulation  Reference  Symbol、ＤＭＲＳ）、物理アップリンク共有チャネル（Physical  Uplink  Shared  Channel、ＰＵＳＣＨ）、又は物理アップリンク制御チャネル（Physical  Uplink  Control  Channel、ＰＵＣＣＨ）のうちのいずれか１つを使用することによって、取得されることができる。本発明のこの実施例におけるＲＳＲＰは、別の信号で置き換えられることができる。例えば、ＲＳＲＰは、ＳＲＳ、ＤＭＲＳ、ＰＵＳＣＨ、ＰＵＣＣＨ、若しくはランダムアクセスチャネル（Random  Access  Channel、ＲＡＣＨ）の信号強度、又は信号対干渉及び雑音比（Signal  to  Interference  plus  Noise  Ratio、ＳＩＮＲ）のうちのいずれか１つによって置き換えられることができる。
【００６０】
本発明のこの実施例のＳ５０４において、基地局が、端末により報告されたＲＳＲＰ、ＰＭＩ、及びＲＩに従って、端末のスケジューリング方式を決定することは、下記のケースを含む。
【００６１】
ケース１：第１のセルのＲＳＲＰと第２のセルのＲＳＲＰとの間の差の絶対値が第１のしきい値よりも大きいとともに第２のしきい値よりも小さく、ＰＭＩが０、１、２、３、８、９、１０、又は１１のうちのいずれか１つであり、ＲＩが１である場合に、基地局は、端末に対して独立スケジューリングを実行することを決定する。
【００６２】
ＰＭＩが、０、２、９、又は１１のうちのいずれか１つである場合に、基地局は、第１のセルにおける端末に対して独立スケジューリングを実行することを決定する。
【００６３】
ＰＭＩが、１、３、８、又は１０のうちのいずれか１つである場合に、基地局は、第２のセルにおける端末に対して独立スケジューリングを実行することを決定する。
【００６４】
ケース２：第１のセルのＲＳＲＰと第２のセルのＲＳＲＰとの間の差の絶対値が第２のしきい値以上であり、ＰＭＩが０、１、２、３、８、９、１０、又は１１のうちのいずれか１つであり、ＲＩが１である場合に、基地局は、端末に対して独立スケジューリングを実行することを決定する。
【００６５】
ＰＭＩ情報が、０、２、９、又は１１のうちのいずれか１つである場合に、基地局は、第１のセルにおける端末に対して独立スケジューリングを実行することを決定する。
【００６６】
ＰＭＩ情報が、１、３、８、又は１０のうちのいずれか１つである場合に、基地局は、第２のセルにおける端末に対して独立スケジューリングを実行することを決定する。
【００６７】
ケース３：第１のセルのＲＳＲＰと第２のセルのＲＳＲＰとの間の差の絶対値が第２のしきい値以上であり、ＰＭＩが１０又は１１であり、ＲＩが２である場合に、基地局は、端末に対して独立スケジューリングを実行することを決定する。
【００６８】
ＰＭＩが１１である場合に、基地局は、第１のセルにおける端末に対して独立スケジューリングを実行することを決定する。
【００６９】
ＰＭＩ情報が１０である場合に、基地局は、第２のセルにおける端末に対して独立スケジューリングを実行することを決定する。
【００７０】
ケース４：第１のセルのＲＳＲＰと第２のセルのＲＳＲＰとの間の差の絶対値が第１のしきい値以下であり、そしてＰＭＩとＲＩの両方が任意の値である場合に、基地局は、端末に対してジョイントスケジューリングを実行することを決定する。
【００７１】
ケース５：第１のセルのＲＳＲＰと第２のセルのＲＳＲＰとの間の差の絶対値が第１のしきい値よりも大きいとともに第２のしきい値よりも小さく、ＲＩが１ではなく、そしてＰＭＩが任意の値である場合に、基地局は、端末に対してジョイントスケジューリングを実行することを決定する。
【００７２】
前述のケースでは、第１のしきい値は、Ｍ＋Ｑ又はＭ−Ｑに設定され得るとともに、第２のしきい値は、Ｐ＋Ｑ又はＰ−Ｑに設定され得る。Ｍ、Ｑ、及びＰは、全てゼロ以上である。好ましくは、Ｍ、Ｑ、及びＰのデフォルト値は、それぞれ５ｄＢ、３ｄＢ、及び１５ｄＢである。
【００７３】
本発明のこの実施例では、端末により報告されるとともに、基地局によって取得されたＲＳＲＰ、ＰＭＩ、及びＲＩが、ケース１、ケース２、又はケース３のうちのいずれか１つを満たさない場合、基地局は、端末に対してジョイントスケジューリングを実行することを決定し得る、ということに注意が必要である。
【００７４】
基地局が前述の方法を使用することによって端末に対してスケジューリングを実行する場合に、スケジューリングの精度が改善されることができ、ネットワーク容量が、更に改善される。
【００７５】
任意に、基地局は、第１のセルのＲＳＲＰと第２のセルのＲＳＲＰとの間の差の絶対値に従って、ＰＭＩ測定制限指示を端末に配信し、ここで、ＰＭＩ測定制限指示は、ＰＭＩ測定制限指示に従ってＰＭＩ測定を実行するために端末により使用され、基地局は、端末により報告されたＰＭＩを取得する。
【００７６】
基地局は、下記の方法を使用することによって、第１のセルのＲＳＲＰと第２のセルのＲＳＲＰとの間の差の絶対値に従って、ＰＭＩ測定制限指示を端末に配信し得る。
【００７７】
基地局は、第１のセルのＲＳＲＰと第２のセルのＲＳＲＰとの間の差の絶対値を予め設定されたしきい値と比較し、比較結果に従って、ＰＭＩ測定制限指示を端末に配信する。
【００７８】
第１のセルのＲＳＲＰと第２のセルのＲＳＲＰとの間の差の絶対値が第１のしきい値以下である場合に、基地局は、端末が共通セルネットワークの重複領域に存在すると判定するとともに、基地局は、第１のＰＭＩ測定制限指示を端末に配信する。第１のＰＭＩ測定制限指示は、共通セルネットワークの重複領域に対応するＰＭＩセット内のＰＭＩを測定するように端末に指示するために使用される。
【００７９】
第１のセルのＲＳＲＰと第２のセルのＲＳＲＰとの間の差の絶対値が第１のしきい値よりも大きいとともに第２のしきい値よりも小さい場合に、基地局は、端末が共通セルネットワークの中間領域に存在すると判定するとともに、基地局は、第２のＰＭＩ測定制限指示を端末に配信する。第２のＰＭＩ測定制限指示は、共通セルネットワークの中間領域に対応するＰＭＩセット内のＰＭＩを測定するように端末に指示するために使用される。
【００８０】
第１のセルのＲＳＲＰと第２のセルのＲＳＲＰとの間の差の絶対値が第２のしきい値以上である場合に、基地局は、端末が共通セルネットワークの独立領域に存在すると判定するとともに、基地局は、第３のＰＭＩ測定制限指示を端末に配信する。第３のＰＭＩ測定制限指示は、共通セルネットワークの独立領域に対応するＰＭＩセット内のＰＭＩを測定するように端末に指示するために使用される。
【００８１】
第１のセルのＲＳＲＰと第２のセルのＲＳＲＰとの間の差の絶対値に従ってＰＭＩ測定制限指示を端末に配信するために基地局によって使用される前述の方法では、共通セルネットワークは、共通セルネットワークにおける第１のセルと第２のセルとの間の重複の異なる程度に従って、重複領域、中間領域、及び独立領域に分割される。例えば、図６は、共通セルネットワーク分割の領域分布の図である。
【００８２】
共通セルネットワークにおける重複領域、中間領域、及び独立領域は、予め設定された異なるしきい値に対応する。第１のしきい値は、Ｍ＋Ｑ又はＭ−Ｑに設定され得るとともに、第２のしきい値は、Ｐ＋Ｑ又はＰ−Ｑに設定され得る。Ｍ、Ｑ、及びＰは、全てゼロ以上である。予め設定されたしきい値は、共通セルネットワークの領域分割に従って設定され得る。好ましくは、Ｍ、Ｑ、及びＰのデフォルト値は、それぞれ５ｄＢ、３ｄＢ、及び１５ｄＢである。
【００８３】
例えば、共通セルネットワークにおける重複領域、中間領域、及び独立領域にそれぞれ対応するＰＭＩセットが表１において示される。
【００８４】
【表１】
2019503121.tif 000008
【００８５】
共通セルネットワークの領域分割方式は、本発明のこの実施例において提供される領域分割方式に限定されず、共通セルネットワーク内の異なる領域に対応する予め設定されたしきい値は、本発明のこの実施例において提供される予め設定されたしきい値に限定されず、共通セルネットワーク内の異なる領域に対応するＰＭＩセットは、本発明のこの実施例において提供される内容に限定されず、そして異なる領域に対応するＰＭＩセットは、実際の共通セルネットワークの状態に従って設定され得る、ということに注意が必要である。
【００８６】
任意に、基地局が第１のセルのＲＳＲＰ及び第２のセルのＲＳＲＰを取得した後で、共通セルネットワークの現在の負荷が予め設定されたしきい値を超えたと基地局が判定した場合、基地局は、前述の方法を使用することによって、第１のセルのＲＳＲＰと第２のセルのＲＳＲＰとの間の差の絶対値に従って、ＰＭＩ測定制限指示を端末に配信し、そうでなければ、基地局は、ＰＭＩ測定制限指示を端末に配信せず、すなわち、端末がＰＭＩ測定を行うＰＭＩ範囲は、一般的なセット（universal  set）になる。共通セルネットワークの負荷に対応する予め設定されたしきい値の値は、０％から１００％の範囲になる。好ましくは、予め設定されたしきい値は２０％である。
【００８７】
端末が位置するとともに、基地局によって予め決定された共通セルネットワーク領域が、端末が位置するとともに、基地局によって現在決定された共通セルネットワーク領域と同じである場合、基地局は、同じＰＭＩ測定制限指示を端末に繰り返し配信する必要はない。任意に、基地局は、無線リソース制御（Radio  Resource  Control、ＲＲＣ）シグナリングを使用することによって、ＰＭＩ測定制限指示を端末に配信する。この場合、端末が位置する共通セルネットワーク領域に対応するＰＭＩセットは、ＲＲＣシグナリングにおける対応する項目を設定することによって設定される（ＴＳ  ３６．３３１及びＴＳ  ３６．２１３を参照されたい）。これは従来技術に関連しており、詳細はここでは説明されない。
【００８８】
従来技術では、基地局は、端末がＰＭＩ測定を実行するＰＭＩ範囲を、ＰＭＩ測定制限指示を端末に配信することによって制限しない。基地局は、端末が最初にネットワークにアクセスする場合に、端末にＲＲＣシグナリングを配信する。ＲＲＣシグナリングは、端末がＰＭＩ測定を実行するＰＭＩ範囲が一般的なセットであることを示す。一般的なセットは、各ＲＩのＰＭＩセットが０〜１５であることを示す。本発明のこの実施例では、基地局は、端末がＰＭＩ測定を実行するＰＭＩ範囲を、ＰＭＩ測定制限指示を端末に配信することによって制限する。端末が基地局により配信されたＰＭＩ測定制限指示を受信した後で、ＰＭＩ報告の際に、端末は、ＰＭＩ測定制限指示によって許容されるＰＭＩ範囲から、最適なＰＭＩを、基地局に報告されるＰＭＩとして選択する。端末によるＰＭＩを選択するプロセスは、従来技術に関連しており、詳細はここでは説明されない。本発明のこの実施例では、基地局は、ＰＭＩ測定制限指示を端末に配信し、それにより、端末に関する測定の複雑性を軽減し、端末の電力消費を更に軽減することができる。
【００８９】
任意に、本発明の実施例は、共通セルネットワークにおける端末をスケジュールするための方法を更に提供する。当該方法は、基地局によって、端末により報告されたＲＳＲＰを取得するステップであって、ＲＳＲＰが第１のセルのＲＳＲＰ及び第２のセルのＲＳＲＰを含む、ステップと、基地局によって、ＲＳＲＰに従って端末のスケジューリング方式を決定するとともに、スケジューリング方式に従って端末に対してスケジューリングを実行するステップであって、スケジューリング方式が独立スケジューリング及びジョイントスケジューリングを含む、ステップとを含む。
【００９０】
本発明のこの実施例では、端末のスケジューリング方式は、共通セルネットワークにおける端末をスケジュールするための前述の方法を使用することによって、別個に決定され得る。その代わりに、共通セルネットワークにおける端末をスケジュールするための前述の方法、及び図３において示される方法が、一緒に使用され得る。すなわち、端末のスケジューリング方式が、共通セルネットワークにおける端末をスケジュールするための前述の方法を使用することによって決定された後で、基地局は、共通セルネットワーク内にあるとともに、図３において示されるマルチアンテナ伝送方法を使用することによって、端末にデータを送信する。
【００９１】
さらに、第１のセルのＲＳＲＰと第２のセルのＲＳＲＰとの差の絶対値が第２のしきい値未満である場合に、基地局は、端末に対してジョイントスケジューリングを実行することを決定する。
【００９２】
第１のセルのＲＳＲＰと第２のセルのＲＳＲＰとの間の差の絶対値が第２のしきい値以上であり、第１のセルのＲＳＲＰと第２のセルのＲＳＲＰとの間の差が０以上である場合に、基地局は、第１のセルにおける端末に対して独立スケジューリングを実行することを決定する。
【００９３】
第１のセルのＲＳＲＰと第２のセルのＲＳＲＰとの間の差の絶対値が第２のしきい値以上であり、第１のセルのＲＳＲＰと第２のセルのＲＳＲＰとの間の差が０未満である場合に、基地局は、第２のセルにおける端末に対して独立スケジューリングを実行することを決定する。
【００９４】
第２のしきい値は、Ｐ＋Ｑ又はＰ−Ｑに設定され得る。Ｐ及びＱの両方は、ゼロ以上である。好ましくは、Ｐ及びＱのデフォルト値は、それぞれ１５ｄＢ及び３ｄＢである。
【００９５】
本発明の実施例では、基地局は、生成された４つの論理アンテナポート信号を共通セルネットワークにおける４つの物理アンテナにマップし、マップすることによって取得された信号を端末に送信する。これは、制御チャネルに対するジョイント送信及びデータチャネルに対する独立送信によってもたらされる既存の共通セルネットワークにおけるチャネル不一致の問題を解決し、システムスループットを改善することができる。従来技術における共通セルネットワークにおける論理アンテナポートの数と比較して、本発明の実施例における共通セルネットワークにおける論理アンテナポートの数は増加し、その結果、共通セルネットワークによってサポートされることができるユーザのピーク数が増加し、システムスループットが改善されることができる。本発明の実施例は、共通セルネットワークにおける端末をスケジュールするための方法を更に提供し、その結果、ネットワーク容量は、更に改善されることができる。
【００９６】
前述の実施例に基づくと、本発明の実施例は、基地局を更に提供する。基地局が配置された共通セルネットワークは、第１のセルと第２のセルとを含み、第１のセルは、２つの物理アンテナに対応し、第２のセルは、２つの物理アンテナに対応する。基地局は、図３に対応する実施例において提供される方法を使用して、共通セルネットワークにおけるマルチアンテナ伝送方法を実施することができる。図７において示されるように、基地局７００は、トランシーバユニット７０１と、処理ユニット７０２とを含む。
【００９７】
トランシーバユニット７０１は、信号を受信又は送信するように構成される。
【００９８】
処理ユニット７０２は、基地局によりスケジュールされた端末のための４アンテナプリコーディング処理を実行し、４つの論理アンテナポート信号を生成するとともに、４つの論理アンテナポート信号を４つの物理アンテナにマップし、マップすることによって取得された信号を端末に送信するようにトランシーバユニット７０１を制御するように構成される。４つの物理アンテナは、第１のセルに対応する２つの物理アンテナ及び第２のセルに対応する２つの物理アンテナである。
【００９９】
任意に、処理ユニット７０２が４つの論理アンテナポート信号を４つの物理アンテナにマップする場合に、処理ユニット７０２は、具体的に、マッピングマトリクスを使用することによって、４つの論理アンテナポート信号を４つの物理アンテナにマップし、マッピングマトリクス、４つの論理アンテナポート信号、及び４つの物理アンテナによってそれぞれ送信される信号が、下記の関係式のうちのいずれか１つを満たす、ように構成される。
【数６】
2019503121.tif 000009
ここで、Ｘ０、Ｘ１、Ｘ２、及びＸ３は、４つの論理アンテナポート信号を表す。
【０１００】
前述の実施例に基づくと、本発明の実施例は、基地局を更に提供する。基地局が配置された共通セルネットワークは、第１のセルと第２のセルとを含み、第１のセルは、２つの物理アンテナに対応し、第２のセルは、２つの物理アンテナに対応する。基地局は、図５に対応する実施例において提供される方法を使用して、共通セルネットワークにおける端末をスケジュールするための方法を実施することができる。図８において示されるように、基地局８００は、トランシーバユニット８０１と、処理ユニット８０２とを含む。
【０１０１】
トランシーバユニット８０１は、端末により報告された参照信号受信電力ＲＳＲＰを取得し、ここで、ＲＳＲＰが第１のセルのＲＳＲＰ及び第２のセルのＲＳＲＰを含み、端末により報告されたプリコーディングマトリクスインジケータＰＭＩを取得するとともに、端末により報告されたランクインジケータＲＩを取得するように構成される。
【０１０２】
処理ユニット８０２は、トランシーバユニット８０１により取得されたＲＳＲＰ、ＰＭＩ、及びＲＩに従って端末のスケジューリング方式を決定するとともに、スケジューリング方式に従って端末に対してスケジューリングを実行するように構成される。スケジューリング方式は、独立スケジューリング及びジョイントスケジューリングを含む。
【０１０３】
任意に、処理ユニット８０２は、具体的に、第１のセルのＲＳＲＰと第２のセルのＲＳＲＰとの間の差の絶対値が第１のしきい値よりも大きいとともに第２のしきい値よりも小さく、ＰＭＩが０、１、２、３、８、９、１０、又は１１のうちのいずれか１つであり、ＲＩが１である場合に、処理ユニット８０２によって、端末に対して独立スケジューリングを実行することを決定する、ように構成される。
【０１０４】
任意に、処理ユニット８０２は、具体的に、第１のセルのＲＳＲＰと第２のセルのＲＳＲＰとの間の差の絶対値が第２のしきい値以上であり、ＰＭＩが０、１、２、３、８、９、１０、又は１１のうちのいずれか１つであり、ＲＩが１である場合に、処理ユニット８０２によって、端末に対して独立スケジューリングを実行することを決定する、ように構成される。
【０１０５】
任意に、処理ユニット８０２は、具体的に、第１のセルのＲＳＲＰと第２のセルのＲＳＲＰとの間の差の絶対値が第２のしきい値以上であり、ＰＭＩが１０又は１１であり、ＲＩが２である場合に、処理ユニット８０２によって、端末に対して独立スケジューリングを実行することを決定する、ように構成される。
【０１０６】
任意に、処理ユニット８０２は、具体的に、第１のセルのＲＳＲＰと第２のセルのＲＳＲＰとの間の差の絶対値が第１のしきい値以下である場合に、処理ユニット８０２によって、端末に対してジョイントスケジューリングを実行することを決定するか、又は第１のセルのＲＳＲＰと第２のセルのＲＳＲＰとの間の差の絶対値が第１のしきい値よりも大きいとともに第２のしきい値よりも小さく、ＲＩが１ではない場合に、処理ユニット８０２によって、端末に対してジョイントスケジューリングを実行することを決定する、ように構成される。
【０１０７】
任意に、処理ユニット８０２は、第１のセルのＲＳＲＰと第２のセルのＲＳＲＰとの間の差の絶対値に従って、端末に配信されるべきＰＭＩ測定制限指示を決定し、ここで、ＰＭＩ測定制限指示が、ＰＭＩ測定制限指示に従ってＰＭＩ測定を実行するために端末により使用される、ように更に構成される。
【０１０８】
トランシーバユニット８０１が端末により報告されたプリコーディングマトリクスインジケータＰＭＩを取得する場合に、トランシーバユニット８０１は、具体的に、処理ユニット８０２により決定されたＰＭＩ測定制限指示を端末に配信するとともに、ＰＭＩ測定制限指示に従って端末により報告されたＰＭＩを取得するように構成される。
【０１０９】
本発明のこの実施例では、共通セルネットワークにおける端末のスケジューリング方式は、図８において示される基地局を使用することによって、別個に決定され得る。その代わりに、図７において示される基地局、及び図８において示される基地局が、一緒に使用され得る。すなわち、図８において示される基地局が端末のスケジューリング方式を決定した後で、図７において示される基地局が端末にデータを送信する。
【０１１０】
前述の実施例に基づくと、本発明の実施例は、基地局を更に提供する。基地局は、図３及び／又は図５に対応する実施例において提供される方法を使用することができ、図７及び／又は図８において示される基地局と同じデバイスであり得る。図９において示されるように、基地局９００は、トランシーバ９０１、プロセッサ９０２、バス９０３、及びメモリ９０４を含む。
【０１１１】
トランシーバ９０１と、プロセッサ９０２と、メモリ９０４とは、バス９０３を使用することによってお互いに接続されている。バス９０３は、周辺コンポーネント相互接続（peripheral  component  interconnect、略してＰＣＩ）バス、拡張業界標準アーキテクチャ（extended  industry  standard  architecture、略してＥＩＳＡ）バスなどであり得る。バスは、アドレスバス、データバス、制御バス等に分類されることができる。表現を容易にするために、図９では、バスは１本の太い線のみを使用することによって表される。しかしながら、それは、１つのバス又は１つのタイプのバスしか存在しないことを意味するものではない。
【０１１２】
基地局９００では、トランシーバ９０１は、図７及び／又は図８におけるトランシーバユニットによって実行される動作を、対応して実行し、プロセッサ９０２は、図７及び／又は図８における処理ユニットによって実行される動作を、対応して実行し、メモリ９０４は、プログラムを格納するように構成される。具体的には、プログラムはプログラムコードを含み、プログラムコードはコンピュータ動作命令を含む。メモリ９０４は、ランダムアクセスメモリ（random  access  memory、ＲＡＭ）を含むことができ、少なくとも１つの磁気ディスク記憶装置のような不揮発性メモリ（non-volatile  memory）を更に含むことができる。プロセッサ９０２は、メモリ９０４に格納されたアプリケーションプログラムを実行して、共通セルネットワークにおけるマルチアンテナ伝送方法、及び共通セルネットワークにおける端末をスケジュールするための方法を実施する。
【０１１３】
本発明のいくつかの好ましい実施例が説明されたが、当業者は、一度当業者が基礎的な発明概念を学習すれば、これらの実施例に変更及び修正を行うことができる。したがって、添付の請求項は、好ましい実施例、並びに本発明の範囲内に含まれる全ての変更及び修正をカバーすると解釈されることを意図している。
【０１１４】
明らかに、当業者は、本発明の実施例の精神及び範囲からはずれずに、本発明の実施例に様々な修正及び変更を行うことができる。本発明の実施例のこれらの修正及び変更が、本発明の下記の請求項及びそれらの同等の技術により定義された保護の範囲内に含まれる限り、本発明は、これらの修正及び変更をカバーすることを意図している。
【図１（ａ）】
2019503121.tif 000012
【図１（ｂ）】
2019503121.tif 000013
【図２】
2019503121.tif 000014
【図３】
2019503121.tif 000015
【図４】
2019503121.tif 000016
【図５】
2019503121.tif 000017
【図６】
2019503121.tif 000018
【図７】
2019503121.tif 000019
【図８】
2019503121.tif 000020
【図９】
2019503121.tif 000021
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
共通セルネットワークにおけるマルチアンテナ伝送方法であって、前記共通セルネットワークが第１のセルと第２のセルとを含み、前記第１のセルが２つの物理アンテナに対応し、前記第２のセルが２つの物理アンテナに対応し、当該方法が、
基地局によって、スケジュールされた端末のための４アンテナプリコーディング処理を実行し、４つの論理アンテナポート信号を生成するステップと、
前記基地局によって、前記４つの論理アンテナポート信号を４つの物理アンテナにマップし、マップすることによって取得された信号を前記端末に送信するステップであって、前記４つの物理アンテナが、前記第１のセルに対応する前記２つの物理アンテナ及び前記第２のセルに対応する前記２つの物理アンテナである、ステップとを含む、方法。
【請求項２】
前記基地局によって、前記４つの論理アンテナポート信号を４つの物理アンテナにマップする前記ステップが、
前記基地局によって、マッピングマトリクスを使用することによって、前記４つの論理アンテナポート信号を前記４つの物理アンテナにマップするステップであって、前記マッピングマトリクス、前記４つの論理アンテナポート信号、及び前記４つの物理アンテナによってそれぞれ送信される前記信号が、下記の関係式のうちのいずれか１つを満たす、ステップを含む、請求項１に記載の方法。
【数１】
2019503121.tif 000022
ここで、Ｘ０、Ｘ１、Ｘ２、及びＸ３は、前記４つの論理アンテナポート信号を表す。
【請求項３】
前記基地局によって、前記端末により報告された参照信号受信電力（ＲＳＲＰ）を取得するステップであって、前記ＲＳＲＰが前記第１のセルのＲＳＲＰ及び前記第２のセルのＲＳＲＰを含む、ステップと、
前記基地局によって、前記端末により報告されたプリコーディングマトリクスインジケータ（ＰＭＩ）を取得するステップと、
前記基地局によって、前記端末により報告されたランクインジケータ（ＲＩ）を取得するステップと、
前記基地局によって、前記ＲＳＲＰ、前記ＰＭＩ、及び前記ＲＩに従って前記端末のスケジューリング方式を決定するとともに、前記スケジューリング方式に従って前記端末に対してスケジューリングを実行するステップであって、前記スケジューリング方式が独立スケジューリング及びジョイントスケジューリングを含む、ステップとを更に含む、請求項１又は請求項２に記載の方法。
【請求項４】
前記基地局によって、前記ＲＳＲＰ、前記ＰＭＩ、及び前記ＲＩに従って前記端末のスケジューリング方式を決定する前記ステップが、
前記第１のセルの前記ＲＳＲＰと前記第２のセルの前記ＲＳＲＰとの間の差の絶対値が第１のしきい値よりも大きいとともに第２のしきい値よりも小さく、前記ＰＭＩが０、１、２、３、８、９、１０、又は１１のうちのいずれか１つであり、前記ＲＩが１である場合に、前記基地局によって、前記端末に対して独立スケジューリングを実行することを決定するステップを含む、請求項３に記載の方法。
【請求項５】
前記基地局によって、前記ＲＳＲＰ、前記ＰＭＩ、及び前記ＲＩに従って前記端末のスケジューリング方式を決定する前記ステップが、
前記第１のセルの前記ＲＳＲＰと前記第２のセルの前記ＲＳＲＰとの間の差の絶対値が第２のしきい値以上であり、前記ＰＭＩが０、１、２、３、８、９、１０、又は１１のうちのいずれか１つであり、前記ＲＩが１である場合に、前記基地局によって、前記端末に対して独立スケジューリングを実行することを決定するステップを含む、請求項３に記載の方法。
【請求項６】
前記基地局によって、前記ＲＳＲＰ、前記ＰＭＩ、及び前記ＲＩに従って前記端末のスケジューリング方式を決定する前記ステップが、
前記第１のセルの前記ＲＳＲＰと前記第２のセルの前記ＲＳＲＰとの間の差の絶対値が第２のしきい値以上であり、前記ＰＭＩが１０又は１１であり、前記ＲＩが２である場合に、前記基地局によって、前記端末に対して独立スケジューリングを実行することを決定するステップを含む、請求項３に記載の方法。
【請求項７】
前記基地局によって、前記ＲＳＲＰ、前記ＰＭＩ、及び前記ＲＩに従って前記端末のスケジューリング方式を決定する前記ステップが、
前記第１のセルの前記ＲＳＲＰと前記第２のセルの前記ＲＳＲＰとの間の差の絶対値が第１のしきい値以下である場合に、前記基地局によって、前記端末に対してジョイントスケジューリングを実行することを決定するか、又は
前記第１のセルの前記ＲＳＲＰと前記第２のセルの前記ＲＳＲＰとの間の差の絶対値が第１のしきい値よりも大きいとともに第２のしきい値よりも小さく、前記ＲＩが１ではない場合に、前記基地局によって、前記端末に対してジョイントスケジューリングを実行することを決定するステップを含む、請求項３に記載の方法。
【請求項８】
前記基地局によって、前記端末により報告されたプリコーディングマトリクスインジケータＰＭＩを取得する前記ステップが、
前記第１のセルの前記ＲＳＲＰと前記第２のセルの前記ＲＳＲＰとの間の差の絶対値に従って、前記基地局によって、ＰＭＩ測定制限指示を前記端末に配信するステップであって、前記ＰＭＩ測定制限指示が、前記ＰＭＩ測定制限指示に従ってＰＭＩ測定を実行するために前記端末により使用される、ステップと、
前記基地局によって、前記端末により報告された前記ＰＭＩを取得するステップとを含む、請求項３に記載の方法。
【請求項９】
基地局であって、前記基地局が配置された共通セルネットワークが第１のセルと第２のセルとを含み、前記第１のセルが２つの物理アンテナに対応し、前記第２のセルが２つの物理アンテナに対応し、当該基地局が、
信号を受信又は送信するように構成されたトランシーバユニットと、
前記基地局によりスケジュールされた端末のための４アンテナプリコーディング処理を実行し、４つの論理アンテナポート信号を生成するとともに、前記４つの論理アンテナポート信号を４つの物理アンテナにマップし、マップすることによって取得された信号を前記端末に送信するように前記トランシーバユニットを制御するように構成された処理ユニットであって、前記４つの物理アンテナが、前記第１のセルに対応する前記２つの物理アンテナ及び前記第２のセルに対応する前記２つの物理アンテナである、処理ユニットとを備える、基地局。
【請求項１０】
前記処理ユニットが、前記４つの論理アンテナポート信号を前記４つの物理アンテナにマップする場合に、前記処理ユニットが、
マッピングマトリクスを使用することによって、前記４つの論理アンテナポート信号を前記４つの物理アンテナにマップし、前記マッピングマトリクス、前記４つの論理アンテナポート信号、及び前記４つの物理アンテナによってそれぞれ送信される前記信号が、下記の関係式のうちのいずれか１つを満たす、ように構成される、請求項９に記載の基地局。
【数２】
2019503121.tif 000023
ここで、Ｘ０、Ｘ１、Ｘ２、及びＸ３は、前記４つの論理アンテナポート信号を表す。
【請求項１１】
前記トランシーバユニットが、
前記端末により報告された参照信号受信電力（ＲＳＲＰ）を取得し、ここで、前記ＲＳＲＰが前記第１のセルのＲＳＲＰ及び前記第２のセルのＲＳＲＰを含み、
前記端末により報告されたプリコーディングマトリクスインジケータ（ＰＭＩ）を取得するとともに、
前記端末により報告されたランクインジケータ（ＲＩ）を取得するように更に構成され、
前記処理ユニットが、
前記トランシーバユニットにより取得された前記ＲＳＲＰ、前記ＰＭＩ、及び前記ＲＩに従って前記端末のスケジューリング方式を決定するとともに、前記スケジューリング方式に従って前記端末に対してスケジューリングを実行し、ここで、前記スケジューリング方式が独立スケジューリング及びジョイントスケジューリングを含む、ように更に構成される、請求項９又は請求項１０に記載の基地局。
【請求項１２】
前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットが、
前記第１のセルの前記ＲＳＲＰと前記第２のセルの前記ＲＳＲＰとの間の差の絶対値が第１のしきい値よりも大きいとともに第２のしきい値よりも小さく、前記ＰＭＩが０、１、２、３、８、９、１０、又は１１のうちのいずれか１つであり、前記ＲＩが１である場合に、前記端末に対して独立スケジューリングを実行することを決定する、ように構成される、請求項１１に記載の基地局。
【請求項１３】
前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットが、
前記第１のセルの前記ＲＳＲＰと前記第２のセルの前記ＲＳＲＰとの間の差の絶対値が第２のしきい値以上であり、前記ＰＭＩが０、１、２、３、８、９、１０、又は１１のうちのいずれか１つであり、前記ＲＩが１である場合に、前記端末に対して独立スケジューリングを実行することを決定する、ように構成される、請求項１１に記載の基地局。
【請求項１４】
前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットが、
前記第１のセルの前記ＲＳＲＰと前記第２のセルの前記ＲＳＲＰとの間の差の絶対値が第２のしきい値以上であり、前記ＰＭＩが１０又は１１であり、前記ＲＩが２である場合に、前記端末に対して独立スケジューリングを実行することを決定する、ように構成される、請求項１１に記載の基地局。
【請求項１５】
前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットが、
前記第１のセルの前記ＲＳＲＰと前記第２のセルの前記ＲＳＲＰとの間の差の絶対値が第１のしきい値以下である場合に、前記端末に対してジョイントスケジューリングを実行することを決定するか、又は
前記第１のセルの前記ＲＳＲＰと前記第２のセルの前記ＲＳＲＰとの間の差の絶対値が第１のしきい値よりも大きいとともに第２のしきい値よりも小さく、前記ＲＩが１ではない場合に、前記端末に対してジョイントスケジューリングを実行することを決定する、ように構成される、請求項１１に記載の基地局。
【請求項１６】
前記処理ユニットが、
前記第１のセルの前記ＲＳＲＰと前記第２のセルの前記ＲＳＲＰとの間の差の絶対値に従って、前記端末に配信されるべきＰＭＩ測定制限指示を決定し、ここで、前記ＰＭＩ測定制限指示が、前記ＰＭＩ測定制限指示に従ってＰＭＩ測定を実行するために前記端末により使用される、ように更に構成され、
前記トランシーバユニットが、前記端末により報告された前記ＰＭＩを取得する場合に、前記トランシーバユニットが、
前記処理ユニットにより決定された前記ＰＭＩ測定制限指示を前記端末に配信するとともに、
前記ＰＭＩ測定制限指示に従って前記端末により報告された前記ＰＭＩを取得するように構成される、請求項１１に記載の基地局。
【請求項１７】
基地局であって、前記基地局が配置された共通セルネットワークが第１のセルと第２のセルとを含み、前記第１のセルが２つの物理アンテナに対応し、前記第２のセルが２つの物理アンテナに対応し、当該基地局が、
信号を受信又は送信するように構成されたトランシーバと、
前記基地局によりスケジュールされた端末のための４アンテナプリコーディング処理を実行し、４つの論理アンテナポート信号を生成するとともに、前記４つの論理アンテナポート信号を４つの物理アンテナにマップし、マップすることによって取得された信号を前記端末に送信するように前記トランシーバを制御するように構成されたプロセッサであって、前記４つの物理アンテナが、前記第１のセルに対応する前記２つの物理アンテナ及び前記第２のセルに対応する前記２つの物理アンテナである、プロセッサとを備える、基地局。
【手続補正２】
【補正対象書類名】明細書
【補正対象項目名】００２０
【補正方法】変更
【補正の内容】
【００２０】
第２の態様の第２の可能な実装例に関連して、第２の態様の第３の可能な実装例において、前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットは、具体的に、前記第１のセルの前記ＲＳＲＰと前記第２のセルの前記ＲＳＲＰとの間の差の絶対値が第１のしきい値よりも大きいとともに第２のしきい値よりも小さく、前記ＰＭＩが０、１、２、３、８、９、１０、又は１１のうちのいずれか１つであり、前記ＲＩが１である場合に、前記端末に対して独立スケジューリングを実行することを決定する、ように構成される。
【手続補正３】
【補正対象書類名】明細書
【補正対象項目名】００２１
【補正方法】変更
【補正の内容】
【００２１】
第２の態様の第２の可能な実装例に関連して、第２の態様の第４の可能な実装例において、前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットは、具体的に、前記第１のセルの前記ＲＳＲＰと前記第２のセルの前記ＲＳＲＰとの間の差の絶対値が第２のしきい値以上であり、前記ＰＭＩが０、１、２、３、８、９、１０、又は１１のうちのいずれか１つであり、前記ＲＩが１である場合に、前記端末に対して独立スケジューリングを実行することを決定する、ように構成される。
【手続補正４】
【補正対象書類名】明細書
【補正対象項目名】００２２
【補正方法】変更
【補正の内容】
【００２２】
第２の態様の第２の可能な実装例に関連して、第２の態様の第５の可能な実装例において、前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットは、具体的に、前記第１のセルの前記ＲＳＲＰと前記第２のセルの前記ＲＳＲＰとの間の差の絶対値が第２のしきい値以上であり、前記ＰＭＩが１０又は１１であり、前記ＲＩが２である場合に、前記端末に対して独立スケジューリングを実行することを決定する、ように構成される。
【手続補正５】
【補正対象書類名】明細書
【補正対象項目名】００２３
【補正方法】変更
【補正の内容】
【００２３】
第２の態様の第２の可能な実装例に関連して、第２の態様の第６の可能な実装例において、前記処理ユニットが、前記トランシーバユニットにより取得された前記ＲＳＲＰ、前記ＰＭＩ、及び前記ＲＩに従って前記端末の前記スケジューリング方式を決定する場合に、前記処理ユニットは、具体的に、前記第１のセルの前記ＲＳＲＰと前記第２のセルの前記ＲＳＲＰとの間の差の絶対値が第１のしきい値以下である場合に、前記端末に対してジョイントスケジューリングを実行することを決定するか、又は前記第１のセルの前記ＲＳＲＰと前記第２のセルの前記ＲＳＲＰとの間の差の絶対値が第１のしきい値よりも大きいとともに第２のしきい値よりも小さく、前記ＲＩが１ではない場合に、前記端末に対してジョイントスケジューリングを実行することを決定する、ように構成される。
【手続補正６】
【補正対象書類名】明細書
【補正対象項目名】００２９
【補正方法】変更
【補正の内容】
【００２９】
下記は、本発明の実施例における添付図面を参照して、本発明の実施例における技術的解決法を明確に説明する。明らかに、説明される実施例は本発明の実施例の全てではなく単なる一部である。創作的な努力なしで本発明の実施例に基づいて当業者により獲得される他の全ての実施例は、本発明の保護範囲に含まれるものとする。
【手続補正７】
【補正対象書類名】明細書
【補正対象項目名】００４３
【補正方法】変更
【補正の内容】
【００４３】
ＬＴＥシステム、ＬＴＥ−Ａシステム、又はＬＴＥに基づく進化型システムの場合、前述のプリコーディング処理は、レイヤから論理アンテナポートにデータをマップすることを意味する。ＬＴＥシステムにおける物理ダウンリンク共有チャネル（Physical  Downlink  Shared  Channel、ＰＤＳＣＨ）が、一例として使用される。例えばスクランブリング、変調、レイヤマッピング、プリコーディング、及びリソースマッピングなどの一連の処理プロセスを経た後で、ＰＤＳＣＨデータは、物理アンテナを使用することによって端末に送信される。プリコーディング処理プロセスについては、第３世代パートナーシッププロジェクト（the  3rd  Generation  Partnership  Project、３ＧＰＰ）技術仕様書（Technical  Specification、ＴＳ）３６．２１１を参照されたい。詳細は、ここでは説明されない。図４は、本発明の一実施例によるダウンリンクデータ送信プロセスを示す。４つの論理アンテナポート信号が、データに対して４アンテナプリコーディング処理及びフレーミング（framing）を実行することによって生成され、４つの論理アンテナポート信号は、仮想アンテナマッピング（virtual  antenna  mapping、ＶＡＭ）によって４つの物理アンテナにマップされる。
【手続補正８】
【補正対象書類名】明細書
【補正対象項目名】００４９
【補正方法】変更
【補正の内容】
【００４９】
好ましくは、第１のセルに対応する第１の物理アンテナによって送信される信号は、Ｘ０＋Ｘ２であり、第１のセルに対応する第２の物理アンテナによって送信される信号は、Ｘ１＋Ｘ３であり、第２のセルに対応する第１の物理アンテナによって送信される信号は、−ｊ（Ｘ１＋Ｘ３）であり、第２のセルに対応する第２の物理アンテナによって送信される信号は、−ｊ（Ｘ０＋Ｘ２）である。同様に、マッピングマトリックス、４つの論理アンテナポート信号、及び４つの物理アンテナによってそれぞれ送信される信号が、別の関係式を満たす場合に、この方式は、各物理アンテナによって送信される信号を決定するために依然として使用され得る。
【手続補正９】
【補正対象書類名】明細書
【補正対象項目名】００５２
【補正方法】変更
【補正の内容】
【００５２】
本発明のこの実施例では、共通セルネットワーキング技術を使用することによって第１のセルと第２のセルとを組み合わせて共通セルネットワークを形成した後で、共通セルネットワークに含まれる論理アンテナポートの数は、第１のセルの論理アンテナポートと第２のセルの論理アンテナポートの総数以上になり、ここで、第１のセルの論理アンテナポートの数は第２のセルの論理アンテナポートの数に等しく、第１のセルの論理アンテナポートの数は、第１のセルの物理アンテナの数以下である。したがって、従来技術における共通セルネットワークにおける論理アンテナポートの数と比較して、本発明のこの実施例における共通セルネットワークにおける論理アンテナポートの数は増加し、その結果、共通セルネットワークによってサポートされることができるユーザのピーク数が増加し、システムスループットが改善されることができる。
【手続補正１０】
【補正対象書類名】明細書
【補正対象項目名】００６５
【補正方法】変更
【補正の内容】
【００６５】
ＰＭＩが、０、２、９、又は１１のうちのいずれか１つである場合に、基地局は、第１のセルにおける端末に対して独立スケジューリングを実行することを決定する。
【手続補正１１】
【補正対象書類名】明細書
【補正対象項目名】００６６
【補正方法】変更
【補正の内容】
【００６６】
ＰＭＩが、１、３、８、又は１０のうちのいずれか１つである場合に、基地局は、第２のセルにおける端末に対して独立スケジューリングを実行することを決定する。
【手続補正１２】
【補正対象書類名】明細書
【補正対象項目名】００６９
【補正方法】変更
【補正の内容】
【００６９】
ＰＭＩが１０である場合に、基地局は、第２のセルにおける端末に対して独立スケジューリングを実行することを決定する。
【手続補正１３】
【補正対象書類名】明細書
【補正対象項目名】０１０３
【補正方法】変更
【補正の内容】
【０１０３】
任意に、処理ユニット８０２は、具体的に、第１のセルのＲＳＲＰと第２のセルのＲＳＲＰとの間の差の絶対値が第１のしきい値よりも大きいとともに第２のしきい値よりも小さく、ＰＭＩが０、１、２、３、８、９、１０、又は１１のうちのいずれか１つであり、ＲＩが１である場合に、端末に対して独立スケジューリングを実行することを決定する、ように構成される。
【手続補正１４】
【補正対象書類名】明細書
【補正対象項目名】０１０４
【補正方法】変更
【補正の内容】
【０１０４】
任意に、処理ユニット８０２は、具体的に、第１のセルのＲＳＲＰと第２のセルのＲＳＲＰとの間の差の絶対値が第２のしきい値以上であり、ＰＭＩが０、１、２、３、８、９、１０、又は１１のうちのいずれか１つであり、ＲＩが１である場合に、端末に対して独立スケジューリングを実行することを決定する、ように構成される。
【手続補正１５】
【補正対象書類名】明細書
【補正対象項目名】０１０５
【補正方法】変更
【補正の内容】
【０１０５】
任意に、処理ユニット８０２は、具体的に、第１のセルのＲＳＲＰと第２のセルのＲＳＲＰとの間の差の絶対値が第２のしきい値以上であり、ＰＭＩが１０又は１１であり、ＲＩが２である場合に、端末に対して独立スケジューリングを実行することを決定する、ように構成される。
【手続補正１６】
【補正対象書類名】明細書
【補正対象項目名】０１０６
【補正方法】変更
【補正の内容】
【０１０６】
任意に、処理ユニット８０２は、具体的に、第１のセルのＲＳＲＰと第２のセルのＲＳＲＰとの間の差の絶対値が第１のしきい値以下である場合に、端末に対してジョイントスケジューリングを実行することを決定するか、又は第１のセルのＲＳＲＰと第２のセルのＲＳＲＰとの間の差の絶対値が第１のしきい値よりも大きいとともに第２のしきい値よりも小さく、ＲＩが１ではない場合に、端末に対してジョイントスケジューリングを実行することを決定する、ように構成される。
【手続補正１７】
【補正対象書類名】明細書
【補正対象項目名】０１１３
【補正方法】変更
【補正の内容】
【０１１３】
本発明のいくつかの実施例が説明されたが、当業者は、一度当業者が基礎的な発明概念を学習すれば、これらの実施例に変更及び修正を行うことができる。したがって、添付の請求項は、実施例、並びに本発明の範囲内に含まれる全ての変更及び修正をカバーすると解釈されることを意図している。
【手続補正１８】
【補正対象書類名】明細書
【補正対象項目名】０１１４
【補正方法】変更
【補正の内容】
【０１１４】
明らかに、当業者は、本発明の実施例の範囲からはずれずに、本発明の実施例に様々な修正及び変更を行うことができる。本発明の実施例のこれらの修正及び変更が、本発明の下記の請求項及びそれらの同等の技術により定義された保護の範囲内に含まれる限り、本発明は、これらの修正及び変更をカバーすることを意図している。
【国際調査報告】
2019503121.tif 000024
2019503121.tif 000025
2019503121.tif 000026
2019503121.tif 000027